【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
回転リゾルバーであって、
回転シャフトと、
前記シャフト上に固定される少なくとも１つの伝導性偏心粗分解能ディスクと、
前記シャフト上に固定される少なくとも１つの伝導性細分解能ディスクであって、複数の概して半円形の突出する端部セグメントを画定して前記粗分解能ディスクよりも大きい回転分解能を提供する、前記細分解能ディスクと、
前記粗分解能ディスクの端部に近接して配置される少なくとも１つの伝導性粗ディスク感知コイルと、
前記細分解能ディスクの端部に近接して配置される少なくとも１つの伝導性細ディスク感知コイルと、
を含む、回転リゾルバー。
【請求項２】
請求項１に記載の回転リゾルバーであって、
前記コイルがそれぞれのディスクの軸感知のために方向付けられる、回転リゾルバー。
【請求項３】
請求項１に記載の回転リゾルバーであって、
前記シャフトの回転とそれによる前記ディスクの回転が、回転サイクル毎に１つの感知サイクルに対応して、各粗ディスク感知コイルと前記粗分解能ディスクとの間の距離を各回転サイクルに最大距離と最小距離との間で循環させる、回転リゾルバー。
【請求項４】
請求項３に記載の回転リゾルバーであって、
前記シャフトの回転とそれによる前記ディスクの回転が、端部セグメントの数に等しい回転サイクル毎の多数の感知サイクルに対応して、各細ディスク感知コイルと前記細分解能ディスクとの間の距離を各端部セグメントの通過の間に最大と最小と前記最大への回帰との間で循環させる、回転リゾルバー。
【請求項５】
請求項１に記載の回転リゾルバーであって、
前記少なくとも１つの粗ディスク感知コイルが、同相粗ディスク感知コイルと直交粗ディスク感知コイルとを含む少なくとも１組の粗ディスク感知コイルを含み、
前記少なくとも１つの細ディスク感知コイルが、同相細ディスク感知コイルと直交細ディスク感知コイルとを含む少なくとも１組の細ディスク感知コイルを含む、回転リゾルバー。
【請求項６】
請求項１に記載の回転リゾルバーであって、
前記少なくとも１つの伝導性細分解能ディスクが１組の伝導性細分解能ディスクを含み、前記１組の細分解能ディスクの第１の細分解能ディスクが同相で配置され、前記１組の細分解能ディスクの第２の細分解能ディスクが前記第１の細分解能ディスクに対して直交して配置される、回転リゾルバー。
【請求項７】
請求項６に記載の回転リゾルバーであって、
前記シャフトの回転とそれによる前記ディスクの回転が、各細ディスク感知コイルと前記細分解能ディスクとの間の距離を各端部セグメントの通過の間に最大と最小と前記最大への回帰との間で循環させ、
前記第１又は第２の細分解能ディスクの一方の端部に近接して配置される前記１つ又は複数の伝導性コイルが、概して正弦波状の周期的な第１の信号を出力し、
前記第１又は第２の細分解能ディスクの他方の端部に近接して配置される前記１つ又は複数の伝導性コイルの別のものが、前記第１の信号に概して直交する概して正弦波状の周期的な第２の信号を出力する、回転リゾルバー。
【請求項８】
請求項７に記載の回転リゾルバーであって、
前記少なくとも１つの粗ディスク感知コイルが、同相粗ディスク感知コイルと直交粗ディスク感知コイルとを含む少なくとも１組の粗ディスク感知コイルを含み、
前記少なくとも１つの細ディスク感知コイルが、同相細ディスク感知コイルと直交細ディスク感知コイルとを含む少なくとも１組の細ディスク感知コイルを含み、
前記同相細ディスク感知コイルが前記第１又は第２の細分解能ディスクの一方に近接して配置され、前記直交細ディスク感知コイルが前記第１又は第２の細分解能ディスクの他方に近接して配置される、回転リゾルバー。
【請求項９】
請求項８に記載の回転リゾルバーであって、
前記同相細ディスク感知コイルと前記直交細ディスク感知コイルとが、互いに整合され、前記シャフトに概して平行である、回転リゾルバー。
【請求項１０】
回転位置感知の方法であって、
シャフト上に偏心伝導性粗分解能ディスクを搭載することと、
前記シャフト上に複数の概して半円形の突出する端部セグメントを画定して前記粗分解能ディスクよりも大きい回転分解能を提供する伝導性細分解能ディスクを搭載することと、
前記粗分解能ディスクの軸感知のために、直交して配置される少なくとも１組の伝導性粗ディスク感知コイルを前記粗分解能ディスクの端部に近接して配置することと、
前記細分解能ディスクの軸感知のために、少なくとも１つの伝導性細ディスク感知コイルを前記細分解能ディスクの端部に近接して配置することと、
を含む、方法。
【請求項１１】
請求項１０に記載の方法であって、
前記シャフトを回転させてそれにより前記ディスクを回転させることであって、回転サイクル毎に１つの感知サイクルに対応して、各粗ディスク感知コイルと前記粗分解能ディスクとの間の距離を各回転サイクルで最大距離と最小距離との間で循環させ、端部セグメントの数に等しい回転サイクル毎の多数の感知サイクルに対応して、各細ディスク感知コイルと前記細分解能ディスクとの間の前記距離を各端部セグメントの通過の間に最大と最小と前記最大への回帰との間で循環させる、前記回転させることと、
前記伝導性粗ディスクの各々により回転サイクル毎に前記１つの感知サイクルを感知することと、
前記１つ又は複数の伝導性細ディスク感知コイルの各々により前記ディスクの回転位置に対応する回転毎に複数の感知サイクルを感知することと、
を更に含む、方法。
【請求項１２】
請求項１０に記載の方法であって、
直交して配置される各組の伝導性粗ディスク感知コイルが、同相粗ディスク感知コイルと直交粗ディスク感知コイルとを含み、
前記少なくとも１つの細ディスク感知コイルが、同相細ディスク感知コイルと直交細ディスク感知コイルとを含む少なくとも１組の細ディスク感知コイルを含む、方法。
【請求項１３】
請求項１０に記載の方法であって、
前記シャフト上に複数の概して半円形の突出する端部セグメントを画定する第２の伝導性細分解能ディスクを搭載することであって、前記細分解能ディスクの第１の細分解能ディスクが同相に配置され、前記細分解能ディスクの第２の細分解能ディスクが前記第１の細分解能ディスクに対して直交して配置される、前記第２の伝導性細分解能ディスクを搭載することと、
前記シャフトを回転させてそれにより前記ディスクを回転させることであって、各細ディスク感知コイルと関連する細分解能ディスクとの間の距離を各端部セグメントの通過の間に最大と最小と前記最大への回帰との間で循環させ、前記第１又は第２の細分解能ディスクの一方の端部に近接して配置される前記１つ又は複数の伝導性コイルが、概して正弦波状の周期的な第１の信号を出力し、前記第１又は第２の細分解能ディスクの他方の端部に近接して配置される前記１つ又は複数の伝導性コイルの別のものが、前記第１の信号に概して直交する概して正弦波状の周期的な第２の信号を出力する、前記回転させることと、
を更に含む、方法。
【請求項１４】
請求項１３に記載の方法であって、
前記少なくとも１つの細ディスク感知コイルが、同相細ディスク感知コイルと直交細ディスク感知コイルとを含む少なくとも１組の細ディスク感知コイルを含み、
前記方法が、
前記第１又は第２の細分解能ディスクの一方に近接して前記同相細ディスク感知コイルを配置することと、
前記第１又は第２の細分解能ディスクの他方に近接し、前記同相細ディスク感知コイルと概して整合して、前記直交細ディスク感知コイルを配置することであって、前記同相細ディスク感知コイルと前記直交細ディスク感知コイルとが前記シャフトに概して平行である、前記直行細ディスク感知コイルを配置することと、
を更に含む、方法。
【請求項１５】
回転位置及び速度感知システムであって、
インダクタンス・デジタルコンバータと、
複数のインダクタンスタンク回路と、
少なくとも１つの回転リゾルバーであって、各々が前記複数のインダクタンスタンク回路を介して前記インダクタンス・デジタルコンバータに作用可能に結合される、前記少なくとも１つの回転リゾルバーと、
を含み、
前記回転リゾルバーが、
回転シャフトと、
前記シャフト上に固定される偏心伝導性粗分解能ディスクと、
前記シャフト上に固定される伝導性細分解能ディスクであって、複数の概して半円形の突出する端部セグメントを画定して前記粗分解能ディスクよりも大きい回転分解能を提供する、前記伝導性細分解能ディスクと、
前記粗分解能ディスクの端部に近接して配置される少なくとも１つの伝導性粗ディスク感知コイルであって、前記シャフトの回転とそれによる前記ディスクの回転が、各粗ディスク感知コイルと前記粗分解能ディスクとの間の距離を各回転サイクルに最大距離と最小距離との間で循環させ、回転サイクル毎に１つの感知サイクルに対応する前記インダクタンス・デジタルコンバータへのインダクタンス信号の出力を生じさせる、前記少なくとも１つの伝導性粗ディスク感知コイルと、
前記細分解能ディスクの端部に近接して配置される少なくとも１つの伝導性細ディスク感知コイルであって、前記シャフトの回転とそれによる前記ディスクの回転が、各細ディスク感知コイルと前記細分解能ディスクとの間の距離を各端部セグメントの通過の間に最大と最小と前記最大への回帰との間で循環させて、前記ディスクの回転位置に対応する前記インダクタンス・デジタルコンバータへのインダクタンス信号の出力を生じさせる、前記少なくとも１つの伝導性細ディスク感知コイルと、
を含む、回転位置及び速度感知システム。
【請求項１６】
請求項１５に記載のシステムであって、
前記回転リゾルバーコイルが、それぞれのディスクの軸感知のために方向付けられる、回転位置及び速度感知システム。
【請求項１７】
請求項１５に記載のシステムであって、
前記少なくとも１つの粗ディスク感知コイルが、同相粗ディスク感知コイルと直交粗ディスク感知コイルとを含む少なくとも１組の粗ディスク感知コイルを含み、
前記少なくとも１つの細ディスク感知コイルが、同相細ディスク感知コイルと直交細ディスク感知コイルとを含む少なくとも１組の細ディスク感知コイルを含む、回転位置及び速度感知システム。
【請求項１８】
請求項１５に記載のシステムであって、
前記少なくとも１つの伝導性細分解能ディスクが、１組の伝導性細分解能ディスクを含み、前記１組の細分解能ディスクの第１の細分解能ディスクが前記シャフト上に同相で固定され、前記１組の細分解能ディスクの第２の細分解能ディスクが前記第１の細分解能ディスクに対して直交して前記シャフト上に固定される、回転位置及び速度感知システム。
【請求項１９】
請求項１５に記載のシステムであって、
前記シャフトの回転とそれによる前記ディスクの前記回転が、各細ディスク感知コイルと前記細分解能ディスクとの間の前記距離を各端部セグメントの通過の間に最大と最小と前記最大への回帰との間で循環させ、前記第１又は第２の細分解能ディスクの一方の前記端部に近接して配置される前記１つ又は複数の伝導性コイルが、概して正弦波状の周期的な第１の信号を前記インダクタンス・デジタルコンバータに出力し、前記第１又は第２の細分解能ディスクの他方の前記端部に近接して配置される前記１つ又は複数の伝導性コイルの別の伝導性コイルが、前記第１の信号に概して直交する概して正弦波状の周期的な第２の信号を前記インダクタンス・デジタル信号コンバータに出力する、回転位置及び速度感知システム。
【請求項２０】
請求項１５に記載のシステムであって、
前記少なくとも１つの粗ディスク感知コイルが、同相粗ディスク感知コイルと直交粗ディスク感知コイルとを含む少なくとも１組の粗ディスク感知コイルを含み、
前記少なくとも１つの細ディスク感知コイルが、同相細ディスク感知コイルと直交細ディスク感知コイルとを含む少なくとも１組の細ディスク感知コイルを含み、前記同相細ディスク感知コイルが、前記第１又は第２の細分解能ディスクの一方に近接して配置され、前記直交細ディスク感知コイルが、前記第１又は第２の細分解能ディスクの他方に近接して前記同相細ディスク感知コイルと概して整合して配置され、前記同相細ディスク感知コイルと前記直交細ディスク感知コイルとが前記シャフトに概して平行に配置される、回転位置及び速度感知システム。